(57)【要約】無線通信システムにおいて、チャネル測定およびレポートをサポートする技術が記載される。１つの設計では、セルは、チャネル推定およびコヒーレントな復調のために使用されるセル特定基準信号（ＣＲＳ）と、チャネル測定およびチャネル・フィードバック・レポートのために使用されるチャネル空間情報基準信号（ＣＳＩ−ＲＳ）とを送信する。セルは、ＣＲＳよりも低い頻度で、または、ＣＲＳよりも多くのアンテナ・ポートから、または、ＣＲＳよりも少ないリソース要素で、または、これらの組み合わせでＣＳＩ−ＲＳを送信しうる。１つの設計では、ユーザ機器（ＵＥ）は、ＵＥのために設定された少なくとも１つの帯域幅部分を決定する。ここで、おのおのの帯域幅部分は、少なくとも１つのサブ帯域をカバーする。ＵＥは、セルからＣＲＳおよびＣＳＩ−ＲＳを受信し、ＣＳＩ−ＲＳに基づいて、少なくとも１つの帯域幅部分のチャネル・フィードバック情報を決定し、セルへチャネル・フィードバック情報を送信し、チャネル・フィードバック情報に基づいて、セルによって送信されたデータを受信する。
2013517707.tif 000002
【特許請求の範囲】
【請求項１】
無線通信のための方法であって、
ユーザ機器（ＵＥ）のために設定された少なくとも１つの帯域幅部分を決定することと、ここで、各帯域幅部分は、複数のサブ帯域のうちの少なくとも１つのサブ帯域をカバーする、
セルから第１の基準信号を受信することと、
前記セルから第２の基準信号を受信することと、ここで、前記第２の基準信号は、前記セルによって、前記第１の基準信号よりも低い頻度で送信される、
前記第２の基準信号に基づいて、前記少なくとも１つの帯域幅部分のチャネル・フィードバック情報を決定することと、
を備える方法。
【請求項２】
前記第１の基準信号は、セル特有基準信号（ＣＲＳ）を備え、前記第２の基準信号は、チャネル空間情報基準信号（ＣＳＩ−ＲＳ）を備える、請求項１に記載の方法。
【請求項３】
前記チャネル・フィードバック情報を決定することは、前記ＵＥのために設定された少なくとも１つの帯域幅部分のすべてについて、チャネル・フィードバック情報を決定することを備える、請求項１に記載の方法。
【請求項４】
前記チャネル・フィードバック情報を決定することは、前記ＵＥのために設定された少なくとも１つの帯域幅部分のおのおのについて、チャネル・フィードバック情報を決定することを備える、請求項１に記載の方法。
【請求項５】
前記チャネル・フィードバック情報を決定することは、前記ＵＥのために設定された少なくとも１つの帯域幅部分のおのおのにおける、１または複数のサブ帯域のおのおのについて、チャネル・フィードバック情報を決定することを備える、請求項１に記載の方法。
【請求項６】
前記おのおのの帯域幅部分における１または複数のサブ帯域は、前記帯域幅部分におけるすべてのサブ帯域を含む、請求項５に記載の方法。
【請求項７】
前記おのおのの帯域幅部分における１または複数のサブ帯域は、前記帯域幅部分におけるＮ個の良好なサブ帯域を含み、ここで、Ｎは１以上である、請求項５に記載の方法。
【請求項８】
前記第２の基準信号を受信することは、前記セルによってシステム帯域幅を介して送信された前記第２の基準信号を受信することを備え、
前記チャネル・フィードバック情報を決定することは、前記少なくとも１つの帯域幅部分に対応するシステム帯域幅の一部のみのためのチャネル・フィードバック情報を、前記第２の基準信号に基づいて決定することを備える、請求項１に記載の方法。
【請求項９】
少なくとも１つの別のセルからの低減された干渉を有する、少なくとも１つのサブフレームを決定することと、
前記少なくとも１つのサブフレームで受信された前記第２の基準信号に基づいて、前記少なくとも１つの帯域幅部分のチャネル・フィードバック情報を決定することと、
をさらに備える請求項１に記載の方法。
【請求項１０】
前記ＵＥのために適用可能な１または複数の帯域幅部分のセットを取得することをさらに備え、
前記ＵＥのために設定された少なくとも１つの帯域幅部分は、前記セットに、前記１または複数の帯域幅部分を含む、請求項１に記載の方法。
【請求項１１】
前記セットは、ホッピングに基づいて定義され、別の期間に、システム帯域幅の別の部分に、１または複数の帯域幅部分を含む、請求項１０に記載の方法。
【請求項１２】
前記セットは、各期間において、単一の帯域幅部分を含み、別の期間において、すべての帯域幅部分にわたってサイクルする、請求項１０に記載の方法。
【請求項１３】
前記セットは、等しい周期を有する複数の帯域幅部分を含む、請求項１０に記載の方法。
【請求項１４】
前記セットは、異なる周期を有する複数の帯域幅部分を含む、請求項１０に記載の方法。
【請求項１５】
前記セットは、前記ＵＥのために特別に定義される、請求項１０に記載の方法。
【請求項１６】
前記セットは、前記セルのため、または別のセルのために定義される、請求項１０に記載の方法。
【請求項１７】
前記セット内の１または複数の帯域幅部分は、前記セルから、または、少なくとも１つの別のセルから、少ない干渉しか有さない、請求項１０に記載の方法。
【請求項１８】
前記ＵＥのために適用可能な１または複数の帯域幅部分の少なくとも１つの追加のセットを取得することをさらに備え、
前記セットと、前記少なくとも１つの追加のセットとのおのおのは、別のセルのためのものであり、
前記ＵＥのために設定された少なくとも１つの帯域幅部分はさらに、前記少なくとも１つの追加のセットにおける１または複数の帯域幅部分を含む、請求項１０に記載の方法。
【請求項１９】
前記チャネル・フィードバック情報は、チャネル品質インジケータ（ＣＱＩ）、またはランク・インジケータ（ＲＩ）、またはプリコーディング行列インジケータ（ＰＭＩ）、またはチャネル方向インジケータ（ＣＤＩ）、またはこれらの組み合わせを備える、請求項１に記載の方法。
【請求項２０】
前記第２の基準信号は、前記セルによって、プリコーディング有りで送信される、請求項１に記載の方法。
【請求項２１】
前記少なくとも１つの帯域幅部分のチャネル・フィードバック情報を前記セルへ送信することと、
前記チャネル・フィードバック情報に基づいて、前記セルによって前記ＵＥへ送信されたデータを受信することと、
をさらに備える請求項１に記載の方法。
【請求項２２】
無線通信のための装置であって、
ユーザ機器（ＵＥ）のために設定された少なくとも１つの帯域幅部分を決定する手段と、ここで、各帯域幅部分は、複数のサブ帯域のうちの少なくとも１つのサブ帯域をカバーする、
セルから第１の基準信号を受信する手段と、
前記セルから第２の基準信号を受信する手段と、ここで、前記第２の基準信号は、前記セルによって、前記第１の基準信号よりも低い頻度で送信される、
前記第２の基準信号に基づいて、前記少なくとも１つの帯域幅部分のチャネル・フィードバック情報を決定する手段と、
を備える装置。
【請求項２３】
前記チャネル・フィードバック情報を決定する手段は、前記ＵＥのために設定された少なくとも１つの帯域幅部分のすべてについて、または、前記ＵＥのために設定された少なくとも１つの帯域幅部分のおのおのについて、または、前記ＵＥのために設定された少なくとも１つの帯域幅部分のおのおのにおける、１または複数のサブ帯域のおのおのについて、チャネル・フィードバック情報を決定する手段を備える、請求項２２に記載の装置。
【請求項２４】
前記ＵＥのために適用可能な１または複数の帯域幅部分のセットを取得する手段をさらに備え、
前記ＵＥのために設定された少なくとも１つの帯域幅部分は、前記セットに、前記１または複数の帯域幅部分を含む、請求項２２に記載の装置。
【請求項２５】
前記少なくとも１つの帯域幅部分のチャネル・フィードバック情報を前記セルへ送信する手段と、
前記チャネル・フィードバック情報に基づいて、前記セルによって前記ＵＥへ送信されたデータを受信する手段と、
をさらに備える請求項２２に記載の装置。
【請求項２６】
無線通信のための装置であって、
ユーザ機器（ＵＥ）のために設定された少なくとも１つの帯域幅部分を決定し、ここで、各帯域幅部分は、複数のサブ帯域のうちの少なくとも１つのサブ帯域をカバーする、
セルから第１の基準信号を受信し、
前記セルから第２の基準信号を受信し、ここで、前記第２の基準信号は、前記セルによって、前記第１の基準信号よりも低い頻度で送信される、
前記第２の基準信号に基づいて、前記少なくとも１つの帯域幅部分のチャネル・フィードバック情報を決定する、
ように構成された少なくとも１つのプロセッサ、を備える装置。
【請求項２７】
コンピュータ・プログラム製品であって、
少なくとも１つのコンピュータに対して、ユーザ機器（ＵＥ）のために設定された少なくとも１つの帯域幅部分を決定させるための命令群と、ここで、各帯域幅部分は、複数のサブ帯域のうちの少なくとも１つのサブ帯域をカバーする、
前記少なくとも１つのコンピュータに対して、セルから第１の基準信号を受信させるための命令群と、
前記少なくとも１つのコンピュータに対して、前記セルから第２の基準信号を受信させるための命令群と、ここで、前記第２の基準信号は、前記セルによって、前記第１の基準信号よりも低い頻度で送信される、
前記少なくとも１つのコンピュータに対して、前記第２の基準信号に基づいて、前記少なくとも１つの帯域幅部分のチャネル・フィードバック情報を決定させるための命令群と、
を備えたコンピュータ読取可能な記憶媒体、を備えるコンピュータ・プログラム製品。
【請求項２８】
無線通信のための方法であって、
サブフレームの第１のセットで第１の基準信号を送信することと、
サブフレームの第２のセットで第２の基準信号を送信することと、ここで、前記第２の基準信号は、前記第１の基準信号よりも低い頻度で送信される、
ユーザ機器（ＵＥ）から、チャネル・フィードバック情報を受信することと、ここで、前記チャネル・フィードバック情報は、前記ＵＥのために設定された少なくとも１つの帯域幅部分のために、前記ＵＥによって、前記第２の基準信号に基づいて決定され、各帯域幅部分は、複数のサブ帯域のうちの少なくとも１つのサブ帯域をカバーする、
を備える方法。
【請求項２９】
前記第１の基準信号は、セル特有基準信号（ＣＲＳ）を備え、
前記第２の基準信号は、チャネル空間情報基準信号（ＣＳＩ−ＲＳ）を備える、請求項２８に記載の方法。
【請求項３０】
前記第２の基準信号は、前記第１の基準信号よりも多くのアンテナ・ポートから送信される、請求項２８に記載の方法。
【請求項３１】
前記第２の基準信号は、前記第１および第２の基準信号が送信されるおのおののサブフレームで、前記第１の基準信号よりも少ないリソース要素で送信される、請求項２８に記載の方法。
【請求項３２】
前記第２の基準信号は、プリコーディング有りで送信される、請求項２８に記載の方法。
【請求項３３】
前記ＵＥから受信したチャネル・フィードバック情報に基づいて、前記ＵＥへデータを送信することをさらに備える、請求項２８に記載の方法。
【請求項３４】
前記ＵＥへデータを送信することは、
前記チャネル・フィードバック情報からチャネル品質インジケータ（ＣＱＩ）を取得することと、
前記ＣＱＩに基づいて、少なくとも１つの変調および符号化スキーム（ＭＣＳ）を決定することと、
前記少なくとも１つのＭＣＳに基づいて、少なくとも１つのデータ・ストリームを処理することと、
を備える、請求項３３に記載の方法。
【請求項３５】
前記ＵＥへデータを送信することは、
前記チャネル・フィードバック情報からプリコーディング行列インジケータ（ＰＭＩ）を取得することと、
前記ＰＭＩに基づいて、少なくとも１つのプリコーディング行列を決定することと、
前記少なくとも１つのプリコーディング行列に基づいて、少なくとも１つのデータ・ストリームをプリコードすることと、
を備える、請求項３３に記載の方法。
【請求項３６】
少なくとも１つの別のセルからの少なくとも１つの別の第２の基準信号への干渉を低減するために、１または複数の帯域幅部分における、または、１または複数のサブフレームにおける、または、１または複数のサブフレームにおける１または複数の帯域幅部分における、セルによる送信を低減すること、をさらに備える請求項２８に記載の方法。
【請求項３７】
前記セルからの強い干渉を観察している少なくとも１つのＵＥを決定することと、
前記セルからの強い干渉を観察している少なくとも１つのＵＥを決定することに応じて、前記セルによる送信を低減することと、
をさらに備える請求項３６に記載の方法。
【請求項３８】
無線通信のための装置であって、
サブフレームの第１のセットで第１の基準信号を送信する手段と、
サブフレームの第２のセットで第２の基準信号を送信する手段と、ここで、前記第２の基準信号は、前記第１の基準信号よりも低い頻度で送信される、
ユーザ機器（ＵＥ）から、チャネル・フィードバック情報を受信する手段と、ここで、前記チャネル・フィードバック情報は、前記ＵＥのために設定された少なくとも１つの帯域幅部分のために、前記ＵＥによって、前記第２の基準信号に基づいて決定され、各帯域幅部分は、複数のサブ帯域のうちの少なくとも１つのサブ帯域をカバーする、
を備える装置。
【請求項３９】
前記第２の基準信号を送信する手段は、前記第１の基準信号よりも多くのアンテナ・ポートから、または、前記第１および第２の基準信号が送信されるおのおののサブフレームで、前記第１の基準信号よりも少ないリソース要素で、または、プレコーディング有りで、または、これらの組み合わせによって、前記第２の基準信号を送信する手段を備える、請求項３８に記載の装置。
【請求項４０】
少なくとも１つの別のセルからの少なくとも１つの別の第２の基準信号への干渉を低減するために、１または複数の帯域幅部分における、または、１または複数のサブフレームにおける、または、１または複数のサブフレームにおける１または複数の帯域幅部分における、セルによる送信を低減する手段をさらに備える、請求項３８に記載の装置。
【請求項４１】
無線通信のための装置であって、
サブフレームの第１のセットで第１の基準信号を送信し、
サブフレームの第２のセットで第２の基準信号を送信し、ここで、前記第２の基準信号は、前記第１の基準信号よりも低い頻度で送信される、
ユーザ機器（ＵＥ）から、チャネル・フィードバック情報を受信し、ここで、前記チャネル・フィードバック情報は、前記ＵＥのために設定された少なくとも１つの帯域幅部分のために、前記ＵＥによって、前記第２の基準信号に基づいて決定され、各帯域幅部分は、複数のサブ帯域のうちの少なくとも１つのサブ帯域をカバーする、
ように構成された少なくとも１つのプロセッサ、
を備える装置。
【請求項４２】
コンピュータ・プログラム製品であって、
少なくとも１つのコンピュータに対して、サブフレームの第１のセットで第１の基準信号を送信させるための命令群と、
前記少なくとも１つのコンピュータに対して、サブフレームの第２のセットで第２の基準信号を送信させるための命令群と、ここで、前記第２の基準信号は、前記第１の基準信号よりも低い頻度で送信される、
前記少なくとも１つのコンピュータに対して、ユーザ機器（ＵＥ）から、チャネル・フィードバック情報を受信させるための命令群と、ここで、前記チャネル・フィードバック情報は、前記ＵＥのために設定された少なくとも１つの帯域幅部分のために、前記ＵＥによって、前記第２の基準信号に基づいて決定され、各帯域幅部分は、複数のサブ帯域のうちの少なくとも１つのサブ帯域をカバーする、
を備えるコンピュータ読取可能な記憶媒体、を備えるコンピュータ・プログラム製品。
【請求項４３】
無線通信のための方法であって、
プリコーディング有りで基準信号を送信することと、
ユーザ機器（ＵＥ）から、チャネル・フィードバック情報を受信することと、ここで、前記チャネル・フィードバック情報は、前記ＵＥのために設定された少なくとも１つの帯域幅部分のために、前記ＵＥによって、前記基準信号に基づいて決定され、各帯域幅部分は、複数のサブ帯域のうちの少なくとも１つのサブ帯域をカバーする、
を備える方法。
【請求項４４】
前記ＵＥから受信したチャネル・フィードバック情報に基づいて、前記基準信号のために実行されるプリコーディング有りで、前記ＵＥへデータを送信すること、をさらに備える請求項４３に記載の方法。
【請求項４５】
前記基準信号は、ホーム基地局によって、プリコーディング有りで送信される、請求項４３に記載の方法。
【請求項４６】
無線通信のための装置であって、
プリコーディング有りで基準信号を送信する手段と、
ユーザ機器（ＵＥ）から、チャネル・フィードバック情報を受信する手段と、ここで、前記チャネル・フィードバック情報は、前記ＵＥのために設定された少なくとも１つの帯域幅部分のために、前記ＵＥによって、前記基準信号に基づいて決定され、各帯域幅部分は、複数のサブ帯域のうちの少なくとも１つのサブ帯域をカバーする、
を備える装置。
【請求項４７】
無線通信のための装置であって、
プリコーディング有りで基準信号を送信し、
ユーザ機器（ＵＥ）から、チャネル・フィードバック情報を受信する、ここで、前記チャネル・フィードバック情報は、前記ＵＥのために設定された少なくとも１つの帯域幅部分のために、前記ＵＥによって、前記基準信号に基づいて決定され、各帯域幅部分は、複数のサブ帯域のうちの少なくとも１つのサブ帯域をカバーする、
ように構成された少なくとも１つのプロセッサ、を備える装置。
【請求項４８】
コンピュータ・プログラム製品であって、
少なくとも１つのコンピュータに対して、プリコーディング有りで基準信号を送信させるための命令群と、
前記少なくとも１つのコンピュータに対して、ユーザ機器（ＵＥ）から、チャネル・フィードバック情報を受信させるための命令群と、ここで、前記チャネル・フィードバック情報は、前記ＵＥのために設定された少なくとも１つの帯域幅部分のために、前記ＵＥによって、前記基準信号に基づいて決定され、各帯域幅部分は、複数のサブ帯域のうちの少なくとも１つのサブ帯域をカバーする、
を備えるコンピュータ読取可能な記憶媒体、を備えるコンピュータ・プログラム製品。
【発明の詳細な説明】
【相互参照】
【０００１】
本特許出願は、本特許出願の譲受人に譲渡され、本明細書において参照によって明確に組み込まれている２０１０年１月１４日出願の「基準信号に基づくチャネル・フィードバック」（CHANNEL FEEDBACK BASED ON REFERENCE SIGNAL）と題された米国仮特許出願６１／２９４，９４１号の優先権を主張する。
【技術分野】
【０００２】
本開示は、一般に、通信に関し、さらに詳しくは、無線通信ネットワークのためのチャネル・フィードバック情報をレポートするための技術に関する。
【背景技術】
【０００３】
無線通信システムは、例えば音声、ビデオ、パケット・データ、メッセージング、ブロードキャスト等のようなさまざまな通信コンテンツを提供するために広く開発された。
【０００４】
これら無線システムは、利用可能なシステム・リソースを共有することにより、複数のユーザをサポートすることができる多元接続システムでありうる。
【０００５】
そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００６】
無線通信システムは、多くのユーザ機器（ＵＥ）のための通信をサポートしうる多くの基地局を含みうる。
【０００７】
基地局は、データをダウンリンクでＵＥへ送信しうる。
【０００８】
ダウンリンク・データ送信のための良好なパフォーマンスは、
ＵＥに対して、ダウンリンクにおけるチャネル条件を測定させ、
測定されたチャネル条件に基づいてチャネル・フィードバック情報を決定させ、
このチャネル・フィードバック情報を基地局へ送信させること、
によって達成されうる。
【０００９】
チャネル・フィードバック情報は、以下に記載されるように、データを送信するために使用されうるさまざまなタイプの情報を備えうる。
【００１０】
効率的にチャネル・フィードバック情報をレポートすることが望ましい。
【発明の概要】
【００１１】
無線通信システムにおいてＵＥによるチャネル測定およびレポートをサポートする技術が、本明細書で記載される。１つの設計では、セルは、例えばセル特有基準信号（ＣＲＳ）のように、チャネル推定、コヒーレント復調等のためにＵＥによって使用されうる第１の基準信号を送信しうる。セルはさらに、例えばチャネル空間情報基準信号（ＣＳＩ−ＲＳ）のように、チャネル測定、チャネル・フィードバック・レポート等のためにＵＥによって使用されうる第２の基準信号をも送信しうる。セルは、第１の基準信号よりも低い頻度で、または、第１の基準信号よりも多くのアンテナ・ポートから、または、第１の基準信号よりも少ないリソース要素で、またはこれらの組み合わせで、第２の基準信号を送信しうる。
【００１２】
別の設計では、セルは、プリコーディング有りで基準信号を送信しうる。セルは、ユーザ機器（ＵＥ）から、チャネル・フィードバック情報を受信しうる。このチャネル・フィードバック情報は、ＵＥのために設定された少なくとも１つの帯域幅部分のために、ＵＥによって、基準信号に基づいて決定されうる。各帯域幅部分は、複数のサブ帯域のうち少なくとも１つのサブ帯域をカバーしうる。
【００１３】
１つの設計では、ＵＥは、ＵＥのために設定された少なくとも１つの帯域幅部分を判定しうる。ここで、各帯域幅部分は、複数のサブ帯域のうち少なくとも１つのサブ帯域をカバーする。ＵＥは、セルから、第１および第２の基準信号を受信しうる。ＵＥは、第２の基準信号に基づいて、少なくとも１つの帯域幅部分のチャネル・フィードバック情報を決定しうる。チャネル・フィードバック情報は、チャネル品質インジケータ（ＣＱＩ）、またはランク・インジケータ（ＲＩ）、またはプリコーディング行列インジケータ（ＰＭＩ）、またはチャネル方向インジケータ（ＣＤＩ）、またはこれらの組み合わせを備えうる。ＵＥは、少なくとも１つの帯域幅部分のチャネル・フィードバック情報をセルへ送信しうる。ＵＥは、その後、チャネル・フィードバック情報に基づいて、セルによってＵＥへ送信されたデータを受信しうる。一般に、ＵＥは、１または複数のセルから第２の基準信号を受信し、各対象セルのチャネル・フィードバック情報を決定し、このチャネル・フィードバック情報を、少なくとも１つのセルへ送信しうる。
【００１４】
本開示のさまざまな態様および特徴が、以下にさらに詳細に記載される。
【図面の簡単な説明】
【００１５】
【図１】図１は、無線通信システムを示す。
【図２】図２は、典型的なフレーム構造を示す。
【図３】図３は、２つの典型的なレギュラ・サブフレーム・フォーマットを示す。
【図４】図４は、周波数における典型的な階層構造を示す。
【図５】図５は、チャネル測定およびレポートを実行するための処理を示す。
【図６】図６は、チャネル測定およびレポートを実行するための装置を示す。
【図７】図７は、チャネル測定およびレポートをサポートするための処理を示す。
【図８】図８は、チャネル測定およびレポートをサポートするための装置を示す。
【図９】図９は、チャネル測定およびレポートをサポートするための別の処理を示す。
【図１０】図１０は、チャネル測定およびレポートをサポートするための別の装置を示す。
【図１１】図１１は、基地局およびＵＥのブロック図を示す。
【発明を実施するための形態】
【００１６】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（ＷＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他のシステムおよびラジオ技術と同様に、上述されたシステムおよびラジオ技術のために使用されうる。明確化のために、これら技術のある態様は、以下において、ＬＴＥについて記載されており、ＬＴＥ用語が以下の説明の多くで使用される。
【００１７】
図１は、ＬＴＥシステムまたはその他のあるシステムでありうる無線通信システム１００を示す。システム１００は、多くのイボルブド・ノードＢ（ｅＮＢ）１１０およびその他のネットワーク・エンティティを含みうる。ｅＮＢは、ＵＥと通信する局であり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。システム容量を改善するために、ｅＮＢの有効通信範囲全体が、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。ｅＮＢは、１または複数（例えば３つ）のセルをサポートしうる。
【００１８】
ＵＥ１２０は、システムの全体にわたって分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット等でありうる。
【００１９】
図２は、ＬＴＥにおいてダウンリンクのために使用される典型的なフレーム構造２００を示す。ダウンリンクのこの送信タイムラインは、ラジオ・フレームの単位に分割されうる。おのおののラジオ・フレームは、（例えば１０ミリ秒（ｍｓ）のような）予め定めた持続時間を有し、０乃至９のインデクスを付された１０個のサブフレームへ分割されうる。サブフレームはそれぞれ２つのスロットを含みうる。ラジオ・フレームはそれぞれ、０乃至１９のインデクスを備えた２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００２０】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（ＮＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（ＮＦＦＴ）は、システム帯域幅に依存しうる。例えば、ＮＦＦＴは、１．２５，２．５，５，１０，２０メガヘルツ（ＭＨｚ）のシステム帯域幅についてそれぞれ１２８，２５６，５１２，１０２４，２０４８にそれぞれ等しい。
【００２１】
ダウンリンクのために利用可能な時間−周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。ダウンリンクでは、サブフレームのおのおののシンボル期間内で、ＯＦＤＭシンボルが送信されうる。ＯＦＤＭシンボルは、送信のために使用されるリソース要素のための非ゼロ値と、送信のために使用されないリソース要素のためのゼロ値とからなる変調シンボルを含みうる。
【００２２】
図２はまた、ＬＴＥにおけるいくつかの基準信号の典型的な送信を示す。基準信号は、送信機および受信機に演繹的に知られている信号であり、パイロット、プリアンブル、トレーニング・シーケンス等とも称されうる。セル特有基準信号（ＣＲＳ）は、例えば、セル識別情報（ＩＤ）に基づいて生成された、セルに特有の基準信号である。ＣＲＳは、各サブフレームにおいてダウンリンクで送信されうる。そして、例えばチャネル推定、コヒーレント復調等のようなさまざまな目的のために使用されうる。
【００２３】
図３は、通常のサイクリック・プレフィクスのためのダウンリンクのための典型的なサブフレーム・フォーマット３１０，３２０を示す。図３に示されるように、ダウンリンクのサブフレームは、データ領域が後続する制御領域を含みうる。制御領域は、サブフレームのうちの最初のＱ個のＯＦＤＭシンボルを含みうる。ここで、Ｑは、１，２，３または４に等しくなりうる。Ｑは、サブフレーム毎に変化し、サブフレームの第１のシンボル期間で伝送されうる。最初のＱ個のＯＦＤＭシンボルは、制御情報を伝送しうる。データ領域は、サブフレームのうちの残りの（２Ｌ−Ｑ）個のシンボル期間を含み、ＵＥのためのデータおよび／またはその他の情報を伝送しうる。
【００２４】
サブフレーム・フォーマット３１０は、２つのアンテナ・ポートを装備したｅＮＢによって使用されうる。ｅＮＢは、シンボル期間０，４，７および１１において、ｅＮＢによってサポートされている各セルのためのＣＲＳを送信しうる。図３では、ラベルＲｉを付された所与のリソース要素について、アンテナ・ポートｉから、このリソース要素で基準シンボルが送信され、他のアンテナ・ポートからは、このリソース要素で、変調シンボルは送信されない。アンテナ・ポートはまた、アンテナ、アンテナ素子等とも称されうる。サブフレーム・フォーマット３２０は、４つのアンテナ・ポートを装備されたｅＮＢによって使用されうる。ｅＮＢは、シンボル期間０，１，４，７，８および１１において、ｅＮＢによってサポートされている各セルのためのＣＲＳを送信しうる。サブフレーム・フォーマット３１０，３２０の両方について、ｅＮＢは、リソース・ブロックの１つのペアにおけるアンテナ・ポート０，１のおのおのについて、８つのリソース要素で、各セルのためのＣＲＳを送信しうる。ＣＲＳのために使用されないリソース要素は、データおよび／またはその他の情報を送信するために使用されうる。
【００２５】
態様では、チャネル空間（または状態）情報基準信号（ＣＳＩ−ＲＳ）は、ＣＲＳほど頻繁に送信されず、例えばチャネル測定やチャネル・フィードバック・レポート等のようなさまざまな目的のために使用されうる。図２に示される例では、ＣＳＩ−ＲＳは、各ラジオ・フレームのサブフレーム０，５において、５ミリ秒毎に送信される。ＣＳＩ−ＲＳはまた、別の周期で、および／または、別のサブフレームでも送信されうる。図２に示される設計では、ＣＳＩ−ＲＳは、サブフレーム０，５のおのおのにおける１つのみのシンボル期間で送信される。一般に、ＣＳＩ−ＲＳは、各ＣＳＩ−ＲＳサブフレームにおいて、ＣＳＩ−ＲＳが送信されるサブフレームである任意の数のシンボル期間において送信されうる。
【００２６】
ＣＳＩ−ＲＳは、チャネル測定のためにＵＥによって使用され、チャネル品質特性および空間特性に関するチャネル・フィードバック情報が取得される。チャネル・フィードバック情報はまた、チャネル状態情報、チャネル情報等とも称され、以下のうちの１または複数を備えうる。  
・ランク・インジケータ（ＲＩ）−並列に送信するデータ・ストリームまたはコードワードの数（または、データ送信のために使用するレイヤ数）を示す。  
・チャネル品質インジケータ（ＣＱＩ）−１または複数のデータ・ストリームのおのおののチャネル品質を示す。  
・プリコーディング行列インジケータ（ＰＭＩ）−データをプリコードするために使用するプリコーディング行列を示す。  
・チャネル方向インジケータ（ＣＤＩ）−データを送信するための空間方向（例えば、支配的な固有ベクトル）を示す。  
・データを送信するために使用されうるその他の情報。
【００２７】
ＣＳＩ−ＲＳに基づいて導出されるチャネル・フィードバック情報は、例えば、（ｉ）単一のセルから１つのＵＥへの単一ユーザ単数入力複数出力（ＳＵ−ＭＩＭＯ）送信、（ｉｉ）単一のセルから複数のＵＥへの複数ユーザＭＩＭＯ（ＭＵ−ＭＩＭＯ）送信、（ｉｉｉ）複数のセルから１または複数のＵＥへの協調マルチ・ポイント送信（ＣｏＭＰ）、および／または、（ｉｖ）その他の送信モード、のようなさまざまな送信モードのために使用されうる。
【００２８】
ＣＳＩ−ＲＳは、さまざまな方式で、各セルによって送信されうる。１つの設計では、ＣＳＩ−ＲＳは、以下の特性のうちの１または複数を有しうる。  
・ＣＳＩ−ＲＳは、セル特有である。  
・ＣＳＩ−ＲＳは、例えば２ミリ秒、５ミリ秒、１０ミリ秒、２０ミリ秒等のような設定可能な周期／デューティ・サイクルを持っており、さほど頻繁には送信されない（時間的に希薄である）。  
・ＣＳＩ−ＲＳは、システム帯域幅全体に及ぶが、例えば、ＣＳＩ−ＲＳが送信される各リソース・ブロックについて、アンテナ・ポート毎に２またはそれより少ないリソース要素のように、周波数にわたってわずかなリソース要素でしか送信されない（周波数的に希薄である）。  
・ＣＳＩ−ＲＳは、最大８つのアンテナ・ポートから送信され、ＣＳＩ−ＲＳのためのアンテナ・ポートの数が（例えば、静的に）設定されうる。  
・ＣＳＩ−ＲＳは、サブフレームのデータ領域におけるデータをパンクチャする。  
・単一のサブフレームにおけるセル内ＣＳＩ−ＲＳ多重化が、ベースラインである。  
・ＣＳＩ−ＲＳが、ＣＳＩ−ＲＳパターンに基づいて送信される。これは、ＣＲＳを伝送するＯＦＤＭシンボルおよび制御領域を避ける。
【００２９】
セルのＣＳＩ−ＲＳパターンは、セルによってＣＳＩ−ＲＳを送信するための特定のリソース要素を示しうる。ＣＳＩ−ＲＳパターンは、以下の特性のうちの１または複数を有しうる。  
・ＣＳＩ−ＲＳパターンは、セル特有である。  
・ＣＳＩ−ＲＳパターンは、アンテナ・ポート数、システム時間、および、セルのセルＩＤ等に依存する。  
・ＣＳＩ−ＲＳパターンは、所与の周期を持つＣＳＩ−ＲＳサブフレームに存在する。  
・ＣＳＩ−ＲＳパターンは、特定の持続期間における各期間において、ＣＳＩ−ＲＳサブフレーム・セットと称されるすべてのサブフレームのサブセットに制限される。  
・別のセルの別のアンテナ・ポートのＣＳＩ−ＲＳパターンは、時間においてホップしうる。そして、このホップは、セルＩＤ、アンテナ・ポート・インデクス、システム時間等に依存しうる。
【００３０】
ＣＳＩ−ＲＳサブフレーム・セットは、物理ブロードキャスト・チャネル（ＰＢＣＨ）および同期信号との干渉を避けるために、ＰＢＣＨまたは同期信号が存在するサブフレームを除外しうる。
【００３１】
異なるセルに関するＣＳＩ−ＲＳ間の衝突の割合を低減するために、ＣＳＩ−ＲＳが送信されるサブフレームは、時間にわたって設定されたＣＳＩ−ＲＳサブフレーム内でホップしうる。ＣＳＩ−ＲＳホッピングは、ホッピング関数におけるセルＩＤのデフォルト値を用いることによって、セルにわたって共通でありうる（すなわち、セル特有のＣＳＩ−ＲＳホッピングはディセーブルされうる）。セルにわたって共通のＣＳＩ−ＲＳホッピングは、多くのセルを含みうる、例えば統合送信のようなＣｏＭＰ技術をサポートするために有益でありうる。
【００３２】
ＣＳＩ−ＲＳは、設定可能な数のアンテナ・ポートから送信されうる。
【００３３】
同じセルの異なるアンテナ・ポートのＣＳＩ−ＲＳは、時分割多重化（ＴＤＭ）、または符号分割多重化（ＣＤＭ）、または周波数分割多重化（ＦＤＭ）、またはこれらの組み合わせによって直交多重化されうる。各アンテナ・ポートのＣＳＩ−ＲＳは、例えば６つのサブキャリアの周波数間隔のように、１つのＯＦＤＭシンボルにおいて、周波数にわたって等しく配置されうる。
【００３４】
アンテナ・ポートの数が十分に大きい（例えば、２を越える）場合には常に、セルは、ＣＲＳを送信するアンテナ・ポートの数を（例えば、最大２つのアンテナ・ポートに）制限しうる。ＣＳＩ−ＲＳのためのアンテナ・ポートの数の制限することは、（ｉ）ＣＳＩ−ＲＳのために使用されるサブフレームの数を増加させずに、ＣＳＩ−ＲＳの低再使用係数をイネーブルし、（ｉｉ）ＵＥ特有の基準信号（ＵＥ−ＲＳ）との電力共有を回避しうる。ＣｏＭＰの場合、１または複数のＵＥへのデータ送信のために複数のセルによって使用されるリソース要素が、ＣＳＩ−ＲＳによってパンクチャされうる。
【００３５】
表１は、比較のために、ＣＲＳとＣＳＩ−ＲＳとのいくつかの特性をリストする。  
【表１】
2013517707.tif 000003
【００３６】
態様では、ＵＥは、ＣＲＳの代わりに、あるいは、ＣＲＳに加えて、ＣＳＩ−ＲＳに基づいて、チャネル測定を行いうる。さらに、ＵＥは、システム帯域幅のすべてまたは一部のためのチャネル測定を行いうる。ＵＥは、このチャネル測定に基づいて、チャネル・フィードバック情報を決定し、このチャネル・フィードバック情報を１または複数のセルへレポートしうる。
【００３７】
セルは、その有効通信範囲内のＵＥにＣＳＩ−ＲＳを送信しうる。セルおよび１または複数の近隣セルは、セル内のＵＥによるチャネル測定のために信頼性の高いＣＳＩ−ＲＳを保証するために、セル間干渉調整（ＩＣＩＣ）に参加しうる。ＣＳＩ−ＲＳのペネトレーション／有効通信範囲を向上するために、セルは、サブフレームのデータ領域でＣＳＩ−ＲＳを送信しうる。そして、近隣セルは、近隣セルからのデータ送信が、セルからのＣＳＩ−ＲＳに対して過度の干渉を引き起こさないように、データ領域における対応するリソース要素においてＩＣＩＣを実行しうる。セルは、システム帯域幅全体にわたってＣＳＩ−ＲＳを送信し、ＩＣＩＣは、以下のように実施されうる。  
・干渉元のセルに対して、ＣＳＩ−ＲＳが送信されるサブフレームのデータ領域全体をブランク・アウトさせる（すなわち、送信させない）、または、ＣＳＩ−ＲＳを送信するために使用されるリソース要素と衝突するリソース要素を少なくともブランク・アウトさせる。あるいは、  
・干渉元のセルに対して、セルからＣＳＩ−ＲＳへの干渉を低減するために低電力レベルでデータを送信させる。
【００３８】
ブランキング／パンクチャ・スキームの場合、ブランキングを実行するか否かの決定は、ＵＥによって観察されたチャネル条件に依存しうる。例えば、ＵＥが過度の干渉を観察した場合、ブランキングが実行されうる。あるいは、そうではない場合、ブランキングがスキップされうる。１つのセルは、複数のセルと干渉し、その後、ＣＳＩ−ＲＳを送信するために、これら複数のセルによって使用されるすべてのリソース要素またはサブフレームをブランキングしうる。ブランキングは、特に、複数のセルについて行わねばならない場合に、非効率的でありうる。
【００３９】
電力低減／制御スキームは、特に、例えばマクロ・セルのような同じタイプのセルとのホモジニアスなシステムに適用可能でありうる。しかしながら、電力低減は、例えばマクロ・セル、フェムト・セル等のような異なるタイプのセルとのヘテロジニアスなシステムには非効率的でありうる。電力低減はまた、特に−２０ｄＢもの低い形状を持つように、低い形状または受信信号品質で動作するＵＥにも非効率的でありうる。
【００４０】
ブランキングまたは電力低減は、ＵＥがチャネル測定のために確実にＣＳＩ−ＲＳを受信できることを保証しうる。しかしながら、チャネル測定のために、信頼性の高いＣＳＩ−ＲＳを必要とするＵＥは、システム帯域幅全体にわたってスケジュールされることはないであろう。これらのＵＥは、システム帯域幅全体にわたってＣＳＩ−ＲＳを測定する必要はなく、システム帯域幅全体に対してチャネル品質をレポートする必要はない。
【００４１】
上記の観察を考慮すると、ＩＣＩＣによるブランキングまたは電力低減は、効率を高めるために、ＴＤＭ方式および／またはＦＤＭ方式で実施されうる。ＴＤＭの場合、干渉元のセルは、ＣＳＩ−ＲＳが送信されるすべてのサブフレームの代わりに、あるサブフレームにおいてのみブランキングまたは電力低減を行いうる。ＦＤＭの場合、干渉元のセルは、システム帯域幅全体ではなく、システム帯域幅のある部分においてのみブランキングまたは電力低減を行いうる。ＴＤＭとＦＤＭとの両方の場合、干渉元のセルは、ＣＳＩ−ＲＳが送信されるあるサブフレームにおけるシステム帯域幅のある部分においてのみブランキングまたは電力低減を行いうる。ＴＤＭおよび／またはＦＤＭの場合におけるブランキングまたは電力低減は、データ領域全体、および、システム帯域幅全体にわたるブランキングまたは送信電力低減における効率を改善しうる。信頼性の高いＣＳＩ−ＲＳを必要とするＵＥは、システム帯域幅全体でスケジュールされる可能性は低いので、システム帯域幅全体にわたってブランキングまたは電力低減する必要はないかもしれない。
【００４２】
１つの設計では、システム帯域幅は、より効率的なチャネル測定およびレポートのみならず、ＩＣＩＣによるより効率的なブランキングまたは電力低減をサポートするために、階層構造に基づいて分割されうる。この階層構造によって、ＵＥは、システム帯域幅のある部分についてのみ、チャネル測定およびレポートを実行できるようになる。また、この階層構造によって、セルは、システム帯域幅のある部分においてのみブランキングまたは送信電力を低減することができるようになる。
【００４３】
図４は、チャネル測定およびレポートのために使用されうる階層構造４００の設計を示す。ＯＦＤＭでは、合計でＮＦＦＴ個のサブキャリアが取得されうる。合計でＮＦＦＴ個のサブキャリアのうちのサブセットが送信のために使用可能であり、（例えば、システム帯域幅の両端近傍である）残りのサブキャリアは使用されず、ガード・サブキャリアとして役立ちうる。使用可能なサブキャリアは、おのおのが１２の連続したサブキャリアをカバーするリソース・ブロックを形成するために使用されうる。おのおののスロットにおけるリソース・ブロックの数は、システム帯域幅に依存しうる。そして、１．２５乃至２０ＭＨｚのシステム帯域幅について、６乃至１１０に及びうる。
【００４４】
多くのサブ帯域が定義されうる。１つの設計では、チャネル・フィードバックのために、おのおののサブ帯域が、８つのリソース・ブロックについて９６の連続するサブキャリアを含み、１．４４ＭＨｚをカバーしうる。サブ帯域の数は、システム帯域幅に依存しうる。そして、１．２５乃至２０ＭＨｚのシステム帯域幅について、１乃至１３に及びうる。２０ＭＨｚの帯域幅の場合、最初の１２のサブ帯域はおのおの、８つのリソース・ブロックをカバーし、最後のサブ帯域は、４つのリソース・ブロックをカバーしうる。
【００４５】
Ｍ個の帯域幅部分も定義されうる。ここで、Ｍは、１以上でありうる。帯域幅部分はまた、サブ帯域グループ、グループ、周波数範囲等とも称されうる。ｍ∈｛１，・・・，Ｍ｝である場合、帯域幅部分ｍは、Ｎｍ個の連続したサブ帯域を含みうる。ここで、Ｎｍは、１以上でありうる。Ｍ個の帯域幅部分は、同じサイズまたは異なるサイズを有しうる。等しいサイズを有するか、または、可能な限り等しいのに近いサイズを有するようにＭ個の帯域幅部分を定義することが好ましい。帯域幅部分の数、および、各帯域幅部分のサイズは、設定可能であり、システム帯域幅に依存しうる。
【００４６】
１つの設計では、ＵＥは、チャネル測定およびフィードバックのためにＵＥがＣＳＩ−ＲＳを使用しなければならないシステム帯域幅のすべてまたは一部をカバーしうるＵＥ特有のセットを用いて（例えば、準静的に）設定されうる。ＵＥ特有のセットは、Ｍ個の帯域幅部分のすべてまたはサブセットを含みうる。ＵＥは、ＵＥによって観察されるチャネル条件、および／または、その他の要因に基づいて、１または複数の帯域幅部分を用いて設定されうる。
【００４７】
例として、３つの帯域幅部分Ｇ１、Ｇ２、およびＧ３が、以下に示すように、２０ＭＨｚのシステム帯域幅について、Ｓ１乃至Ｓ１３の１３のサブ帯域で定義されうる。  
・Ｇ１＝｛Ｓ１，Ｓ２，Ｓ３，Ｓ４｝，  
・Ｇ２＝｛Ｓ５，Ｓ６，Ｓ７，Ｓ８｝，および  
・Ｇ３＝｛Ｓ９，Ｓ１０，Ｓ１１，Ｓ１２，Ｓ１３｝。
【００４８】
第１のＵＥのために、システム帯域幅全体にわたってＣＳＩ−ＲＳが信頼性が高い（例えば、圧倒的なセル間干渉がない）と考えられる場合、このＵＥは、３つのすべての帯域幅部分を用いて設定されうる。この場合、第１のＵＥは、Ｘ１＝｛Ｇ１，Ｇ２，Ｇ３｝として与えられうるＵＥ特有のセットＸ１を有しうる。第２のＵＥは、１つの帯域幅部分Ｇ１のみを用いて設定され、第２のＵＥのＵＥ特有のセットＸ２は、Ｘ２＝｛Ｇ１｝として与えられうる。第２のＵＥは、チャネル測定およびフィードバックのために、帯域幅部分Ｇ１のみにおいてＣＳＩ−ＲＳを使用しうる。干渉元のセルは、帯域幅部分Ｇ１のみについてブランキングまたは送信電力の低減を行い、第２のＵＥによる干渉およびチャネル測定無しで、帯域幅部分Ｇ２，Ｇ３におけるデータ送信をスケジュールしうる。
【００４９】
１つの設計では、ＵＥは、周波数ダイバーシティを取得するために、システム帯域幅にわたって経時的にホップしうるＵＥ特有のセットＸを用いて設定されうる。このホッピングは、例えばセルＩＤや、ＵＥ  ＩＤや、サブフレームＩＤや、セル特有のＣＳＩ−ＲＳ設定等のような１または複数のパラメータに依存しうるホッピング・パターンまたはシーケンスに基づきうる。ホッピングはまた、ＵＥによって観察されたチャネル条件にも基づきうる。例えば、ＵＥ特有のセットＸは、ＵＥが十分良好なチャネル条件を観察する帯域幅部分のみを含み、ＵＥが貧弱なチャネル条件を観察する帯域幅部分を省く。別の例として、ＵＥ特有のセットＸは、良好な帯域幅部分をより高い頻度（または、より短い周期）で、貧弱な帯域幅部分をより低い頻度（または、より長い周期）で含みうる。
【００５０】
例として、ＵＥは、１つの期間において、帯域幅部分Ｇ１を用いて、次の期間において、帯域幅部分Ｇ２を用いて、その後の期間において、帯域幅部分Ｇ３を用いて、その次の期間において、帯域幅部分Ｇ１を用いてといった具合に設定されうる。ＵＥのためのこのホッピングは、以下のように与えられうる。  
・Ｇ１→Ｇ２→Ｇ３→Ｇ１→Ｇ２→…
上記の例において、ＵＥは、経時的に３つの帯域幅部分をサイクルし、おのおのの帯域幅部分について、同じ周期で設定されうる。一般に、ＵＥは、同じ周期または異なる周期を有する１または複数の帯域幅部分を用いて設定されうる。例えば、ＵＥは、以下に示すように、帯域幅Ｇ２，Ｇ３よりも２倍頻繁に、帯域幅Ｇ１を用いて設定されうる。  
・Ｇ１→Ｇ２→Ｇ１→Ｇ３→Ｇ１→Ｇ２→Ｇ１→Ｇ３→…
別の設計では、ＵＥは、チャネル測定およびフィードバックのためにＵＥがＣＳＩ−ＲＳを使用しなければならないシステム帯域幅のすべてまたは一部をカバーしうるセル特有のセットＹを用いて設定されうる。ＵＥのためのサービス提供セル、および、１または複数の近隣セルは、ＣＳＩ−ＲＳを送信するために、おのおののセルについて、異なるセットのリソース要素を確保するように調整しうる。サービス提供セルのセル特有のセットＹは、近隣セルからの干渉がほとんど無いか、まったく無い。
【００５１】
また別の設計では、ＵＥは、セル特有のＣＳＩ−ＲＳサブフレーム内に制限されうるＵＥ特有のセットＺを用いて設定されうる。例えば、ＵＥ特有のセットＺは、サービス提供セルがＣＳＩ−ＲＳを送信するサブフレームのいくつかのみを含みうる。ＵＥは、その後、ＣＳＩ−ＲＳが送信される各サブフレームではなく、ＵＥ特有のセットＺによって示されるサブフレームにおいてのみ、ＣＳＩ−ＲＳのチャネル測定を行いうる。
【００５２】
ＵＥはまた、セットＸ、セットＹ、セットＺ、および／または、その他のセットの任意の組み合わせを用いて設定されうる。ＵＥは、設定されたすべてのセットのためのチャネル測定を実行しうる。
【００５３】
セットＸ、セットＹ、および／または、セットＺは、例えば、セルによって使用されるリソースや、長期的な干渉条件等に基づいて、複数のセルによって決定されうる。セットＸ、セットＹ、および／または、セットＺはまた、同じセットＸ、セットＹ、および／または、セットＺを用いて設定されうる複数のＵＥのためにも決定されうる。セットＸ、セットＹ、および／または、セットＺはまた、バックホール・ネゴシエーションによって、または、オーバ・ザ・エア・シグナリングによって決定されうる。
【００５４】
１または複数のチャネル・フィードバック・タイプがサポートされうる。各チャネル・フィードバック・タイプは、チャネル測定がＵＥによってどのように実行されレポートされねばならないのかを明示しうる。各チャネル・フィードバック・タイプは、任意のタイプのチャネル・フィードバック情報のレポートをカバーしうる。単純化のために、説明は、ＣＱＩのレポートをカバーする。
【００５５】
１つの設計では、以下のチャネル・フィードバック・タイプのうちの１または複数がサポートされうる。・帯域フィードバック全体−ＣＱＩ値が、設定されたすべての帯域幅部分またはシステム帯域幅全体について決定され、レポートされうる。  
・広帯域フィードバック−ＣＱＩ値が、設定された各帯域幅部分について決定され、レポートされうる。  
・サブ帯域フィードバック−ＣＱＩ値が、設定された帯域幅部分における１または複数のサブ帯域のおのおのについて決定され、レポートされうる。
【００５６】
ＵＥは、１または複数のチャネル・フィードバック・タイプを用いて設定されうる。例えば、ＵＥは、広帯域フィードバックのみ、または、サブ帯域フィードバックのみ、または、広帯域フィードバックとサブ帯域フィードバックとの両方、または、帯域フィードバック全体とサブ帯域フィードバックとの両方、または、チャネル・フィードバック・タイプのその他いくつかの組み合わせを用いて設定されうる。ＵＥは、設定された各チャネル・フィードバックに基づいて、チャネル・フィードバック情報を決定し、レポートしうる。
【００５７】
帯域フィードバック全体について、ＵＥは、設定された帯域幅部分のすべて、および／または、システム帯域幅全体にわたってチャネル測定を行うように構成されうる。その後、ＵＥは、構成されたように、ＣＳＩ−ＲＳに基づいてチャネル測定を行いうる。ＵＥは、設定された帯域幅部分のすべて、または、システム帯域幅全体について１つのＣＱＩ値を取得し、このＣＱＩ値をレポートしうる。
【００５８】
広帯域フィードバックのために、ＵＥは、設定された帯域幅部分で受信されたＣＳＩ−ＲＳに基づいて、設定された各帯域幅部分のチャネル測定を行い、帯域幅部分のＣＱＩ値を取得しうる。ＵＥは、ＵＥのために設定された帯域幅部分のセットのためのＣＱＩ値のセットをレポートしうる。
【００５９】
サブ帯域フィードバックのために、ＵＥは、対象サブ帯域で受信されたＣＳＩ−ＲＳに基づいて、設定された各帯域幅部分における各対象サブ帯域のチャネル測定を行いうる。例えば、設定された各帯域幅部分について、ＵＥは、帯域幅部分におけるＮ個の良好なサブ帯域のおのおのについて、または、帯域幅部分における各サブ帯域について、チャネル測定を行いうる。Ｎは、１以上でありうる。そして、帯域幅部分に依存しうる。例えば、Ｎは、ＵＥが良好なチャネル条件を観察する帯域幅部分に対して大きく、ＵＥが貧弱なチャネル条件を観察する帯域幅部分に対して小さい。ＵＥは、設定されたすべての帯域幅部分における対象サブ帯域のセットのために、ＣＱＩ値のセットを取得しうる。ＵＥは、ＣＱＩ値のこのセットをレポートしうる。
【００６０】
ＵＥは、ホップしうる１または複数の帯域幅部分を用いて設定されうる。各期間において、ＵＥは、この期間のために設定された帯域幅部分（単数または複数）のためのチャネル測定を行いうる。ＵＥは、ホッピングを用いて、別の期間において、別の帯域幅部分のチャネル測定を行いうる。１つの設計では、セル特有のＣＳＩ−ＲＳホッピングは、例えば、ホッピング・シードにおけるセルＩＤエントリを一般的なデフォルト値に設定することによって選択的にディセーブルされうる。１つの設計では、複数のセルがともにホップしうる。これは、例えば多くの送信ノードからの統合送信のようなＣｏＭＰ技術をサポートするために有益でありうる。
【００６１】
ＵＥは、絶対的な、および／または、差分のＣＱＩ値をレポートしうる。絶対的なＣＱＩ値は、この値にのみ基づいてＣＱＩを伝えうる。差分のＣＱＩは、現在のＣＱＩと基準ＣＱＩとの間のＣＱＩにおける差を伝えうる。基準ＣＱＩは、前の期間、または別のサブ帯域、または別の帯域幅部分等に関連しうる。ＵＥは、いくつかの期間、および／または、いくつかの帯域幅部分またはサブ帯域のための絶対的なＣＱＩ値をレポートしうる。ＵＥは、その他のいくつかの期間、および／または、その他のいくつかの帯域幅部分またはサブ帯域のための差分のＣＱＩ値をレポートしうる。
【００６２】
明確化のために、ＣＱＩのレポートが上述された。ここに記載された設計は、例えばＲＩ、ＣＱＩ、ＰＭＩ、ＣＤＩ等のようなすべてのタイプのチャネル・フィードバック情報に適用可能でありうる。
【００６３】
１つの設計では、セルは、例えば、ＣＳＩ−ＲＳを送信するように構成された各アンテナ・ポートから、プリコーディング無しでＣＳＩ−ＲＳを送信しうる。別の設計では、セルは、プリコーディング有りでＣＳＩ−ＲＳを送信しうる。この設計は、特に、ホームｅＮＢ（ＨｅＮＢ）のために適用可能でありうる。なぜなら、各ホームｅＮＢは、１つのＵＥのみ、または、わずかなＵＥとしか関連付けられていないからである。セルは、別の干渉シナリオを考慮しうるより効果的なチャネル測定およびフィードバックを容易にするために、例えば、データと同じ方式で、プリコーディング有りでＣＳＩ−ＲＳを送信しうる。１つの設計では、セルは、選択的にプリコーディング有りまたは無しで、ＣＳＩ−ＲＳを送信しうる。例えば、セルは、最初に、プリコーディング無しでＣＳＩ−ＲＳを送信し、１または複数のＵＥからチャネル・フィードバック情報を受信しうる。セルは、次に、すべてのＵＥからのチャネル・フィードバック情報に基づいて、適切なプリコーディング行列を決定し、このプリコーディング行列に基づいて、プリコーディング有りでＣＳＩ−ＲＳを送信しうる。
【００６４】
セル（例えば、セルのためのスケジューラ）は、プリコーディング有りまたは無しでＣＳＩ−ＲＳを送信するか否かを決定しうる。この決定は、ＵＥに対して透過的であり、ＵＥは、ＣＳＩ−ＲＳがプリコードされたか否かを知る必要はない。ＵＥは、プリコーディング有りまたは無しでＣＳＩ−ＲＳのチャネル測定を行い、チャネル・フィードバック情報をセルへレポートしうる。セルは、ＣＳＩ−ＲＳが送信される方式（例えば、プリコーディング有りまたは無し）を考慮することにより、チャネル・フィードバック情報を解釈しうる。
【００６５】
図５は、チャネル測定およびレポートを実行する処理５００の設計を示す。処理５００は、（以下に説明するように）ＵＥによって実行されうるか、または、その他のあるエンティティによって実行されうる。ＵＥは、ＵＥのために設定された少なくとも１つの帯域幅部分を決定しうる。ここで、各帯域幅部分は、複数のサブ帯域のうちの少なくとも１つのサブ帯域をカバーする（ブロック５１２）。ＵＥは、セルから第１の基準信号（例えば、ＣＲＳ）を受信しうる（ブロック５１４）。ＵＥはさらに、セルから第２の基準信号（例えば、ＣＳＩ−ＲＳ）を受信しうる（ブロック５１６）。第２の基準信号は、セルによって、第１の基準信号よりも低い頻度で送信されうる。第２の基準信号はまた、第１および第２の基準信号が送信される各サブフレームにおいて、第１の基準信号よりも多いアンテナ・ポートから、および／または、第１の基準信号よりも少ないリソース要素で、送信されうる。第２の基準信号はまた、セルによって、プリコーディング有りまたは無しで送信されうる。
【００６６】
ＵＥは、第２の基準信号に基づいて、少なくとも１つの帯域幅部分のためのチャネル・フィードバック情報を決定しうる（ブロック５１８）。ＵＥは、第１の基準信号を用いることなく、または、さらに第１の基準信号に基づいて、チャネル・フィードバック情報を決定しうる。チャネル・フィードバック情報は、ＣＱＩ、ＲＩ、ＰＭＩ、ＣＤＩ、その他のある情報、または、これらの組み合わせを備えうる。ＵＥは、少なくとも１つの帯域幅部分のためのチャネル・フィードバック情報をセルへ送信しうる（ブロック５２０）。ＵＥは、チャネル・フィードバック情報に基づいて、セルによってＵＥへ送信されたデータを受信しうる（ブロック５２２）。
【００６７】
ブロック５１８の１つの設計では、ＵＥは、ＵＥのために設定された少なくとも１つの帯域幅部分のすべてについて、チャネル・フィードバック情報（例えば、ＣＱＩ値）を決定しうる。別の設計では、ＵＥは、ＵＥのために設定された少なくとも１つの帯域幅部分のおのおのについて、チャネル・フィードバック情報を決定しうる。また別の設計では、ＵＥは、ＵＥのために設定された少なくとも１つの帯域幅部分のおのおのにおいて、１または複数のサブ帯域のおのおののためのチャネル・フィードバック情報を決定しうる。おのおのの帯域幅部分における１または複数のサブ帯域は、（ｉ）帯域幅部分におけるすべてのサブ帯域、または、（ｉｉ）帯域幅部分におけるＮ個の良好なサブ帯域を含みうる。ここで、Ｎは１以上でありうる。ＵＥはまた、これら設計の組み合わせに基づいて、チャネル・フィードバック情報を決定しうる。
【００６８】
１つの設計では、ＵＥは、ＵＥのために設定された１または複数の帯域幅部分の第１のセットを取得しうる。ＵＥのために設定された少なくとも１つの帯域幅部分は、第１のセットにおける１または複数の帯域幅部分を含みうる。これは、少なくとも１つの別のセルから、少ない干渉しか受けない。第１のセットは、ホッピングに基づいて定義され、別の期間において、システム帯域幅の別の部分における１または複数の帯域幅部分を含みうる。例えば、第１のセットは、各期間において、単一の帯域幅部分を含みうる。そして、別の期間において、すべての帯域幅部分にわたってサイクルしうる。第１のセットは、等しい周期または異なる周期を有する複数の帯域幅部分を含みうる。第１のセットは、特にＵＥのために定義されうる。
【００６９】
別の設計では、１または複数の帯域幅部分の第１のセットが、セルのために定義されうる。また別の設計では、第１のセットは、別のセルのために定義されうる。例えば、セルＡの有効通信範囲内であって、近隣セルとしてセルＢを有するＵＥは、セルＢのために設定された同じセットの帯域幅部分を有しうる。セルＢの第２の基準信号（または、ＣＳＩ−ＲＳ）は、セルＡからの強い干渉を観察しうる。セルＢの有効通信範囲内のＵＥは、システム帯域全体にわたって、セルＢの第２の基準信号を測定しうる。セルＡの有効通信範囲内のＵＥは、セルＡからの干渉が少ない、セルＢのために設定された帯域幅部分のセットのためのセルＢの第２の基準信号を測定しうる。したがって、１または複数の帯域幅部分の第１のセットは、ＵＥのグループおよびセルのために定義されうる。これは、最強のセルまたはサービス提供セルとして別のセルを有するＵＥを含みうる。
【００７０】
ＵＥはまた、ＵＥのために適用可能な１または複数の帯域幅部分のうちの少なくとも１つの追加のセットを取得しうる。例えば、第１のセットは、ＵＥについて特有であり、第２のセットは、サービス提供セルまたは近隣セルについて特有でありうる。別の例として、第１のセットと、少なくとも１つの追加のセットとのおのおのは、別のセルのためのものでありうる。何れの場合であれ、ＵＥのために設定された少なくと１つの帯域幅部分はさらに、少なくとも１つの追加のセットに、１または複数の帯域幅部分を含みうる。
【００７１】
上述したすべての設計について、ＵＥのために設定された少なくとも１つの帯域幅部分は、少なくとも１つの別のセルから、残りの帯域幅部分よりも少ない干渉しか受けない。１つの設計では、ＵＥは、システム帯域幅にわたってセルによって送信された第２の基準信号を受信し、ＵＥのために設定された少なくとも１つの帯域幅部分に対応するシステム帯域幅のごく一部のチャネル・フィードバック情報を決定しうる。１つの設計では、ＵＥは、少なくとも１つのセルからの低減された干渉を有する１または複数の帯域幅部分および／または少なくとも１つのサブフレームを決定しうる。ＵＥは、少なくとも１つのサブフレームで受信した第２の基準信号、および／または、少なくとも１つのセルからの低減された干渉を有する１または複数の帯域幅部分に基づいて、少なくとも１つの帯域幅部分のチャネル・フィードバック情報を決定しうる。
【００７２】
ＵＥは、上述したように、システム帯域幅の一部でありうる、少なくとも１つの帯域幅部分のチャネル・フィードバック情報を決定し、レポートしうる。ＵＥは、システム帯域幅のすべてまたは一部のチャネル推定を実行しうる。
【００７３】
図６は、チャネル測定およびレポートを実行する装置６００の設計を示す。装置６００は、ＵＥのために設定された少なくとも１つの帯域幅部分を決定するモジュール６１２であって、ここで、各帯域幅部分は、複数のサブ帯域のうちの少なくとも１つのサブ帯域をカバーする、モジュール６１２と、セルから第１の基準信号を受信するモジュール６１４と、セルから第２の基準信号を受信するモジュール６１６であって、ここで、第２の基準信号は、セルによって、第１の基準信号よりも低い頻度で送信される、モジュール６１６と、第２の基準信号に基づいて、少なくとも１つの帯域幅部分のチャネル・フィードバック情報を決定するモジュール６１８と、少なくとも１つの帯域幅部分のチャネル・フィードバック情報をセルへ送信するモジュール６２０と、チャネル・フィードバック情報に基づいて、セルによってＵＥへ送信されたデータを受信するモジュール６２２と、を含む。
【００７４】
図７は、通信をサポートする処理７００の設計を示す。処理７００は、（以下に説明するように）セルによって実行されうるか、または、その他いくつかのエンティティによって実行されうる。セルは、サブフレームの第１のセットで、第１の基準信号（例えば、ＣＲＳ）を送信しうる（ブロック７１２）。セルはさらに、サブフレームの第２のセットで、第２の基準信号（例えば、ＣＳＩ−ＲＳ）を送信しうる（ブロック７１４）。セルは、第１の基準信号よりも低い頻度で、第２の基準信号を送信しうる。セルはさらに、第１および第２の基準信号が送信されるおのおののサブフレームで、第１の基準信号よりも、より多くのアンテナ・ポートから、および／または、より少ないリソース要素で、第２の基準信号を送信しうる。セルはさらに、プリコーディング有りまたは無しで第２の基準信号を送信しうる。
【００７５】
セルは、ＵＥからチャネル・フィードバック情報を受信しうる（ブロック７１６）。チャネル・フィードバック情報は、ＵＥのために設定された少なくとも１つの帯域幅部分のために、ＵＥによって、第２の基準信号に基づいて決定されうる。帯域幅部分はそれぞれ、複数のサブ帯域のうちの少なくとも１つのサブ帯域をカバーしうる。
【００７６】
セルは、ＵＥから受信したチャネル・フィードバック情報に基づいてＵＥにデータを送信しうる（ブロック７１８）。１つの設計では、セルは、チャネル・フィードバック情報からＣＱＩを取得し、ＣＱＩに基づいて、少なくとも１つの変調および符号化スキーム（ＭＣＳ）を決定し、少なくとも１つのＭＣＳに基づいて、少なくとも１つのデータ・ストリームを処理しうる。別の設計では、セルは、チャネル・フィードバック情報からＰＭＩを取得し、ＰＭＩに基づいて、少なくとも１つのプリコーディング行列を決定し、少なくとも１つのプリコーディング行列に基づいて、少なくとも１つのデータ・ストリームをプリコードしうる。セルはさらに、別の方式で、チャネル・フィードバック情報に基づいて、データを処理しうる。
【００７７】
１つの設計では、セルは、少なくとも１つの別のセルからの少なくとも１つの別の第２の基準信号への干渉を低減するために、１または複数の帯域幅部分での、または、１または複数のサブフレームでの、または、１または複数のサブフレームにおける１または複数の帯域幅部分での、送信を低減しうる（例えば、送信しないか、または、送信電力を低いレベルへ低減する）。１つの設計では、送信を低減するための帯域幅部分および／またはサブフレームは、セルのために静的にまたは準静的に設定されうる。別の設計では、セルは、セルからの強い干渉を観察する少なくとも１つのＵＥを決定し、この決定に応じて、送信を低減しうる。
【００７８】
図８は、通信をサポートする装置８００の設計を示す。装置８００は、サブフレームの第１のセットで第１の基準信号を送信するモジュール８１２と、サブフレームの第２のセットで第２の基準信号を送信するモジュール８１４であって、ここで、第２の基準信号は、第１の基準信号よりも低い頻度で送信される、モジュール８１４と、ＵＥからチャネル・フィードバック情報を受信するモジュール８１６であって、ここで、チャネル・フィードバック情報は、ＵＥのために設定された少なくとも１つの帯域幅部分のために、ＵＥによって、第２の基準信号に基づいて決定される、モジュール８１６と、ＵＥから受信したチャネル・フィードバック情報に基づいて、ＵＥへデータを送信するモジュール８１８と、を含む。
【００７９】
図９は、通信をサポートする処理９００の設計を示す。処理９００は、（以下に説明するように）セルによって実行されうるか、または、その他いくつかのエンティティによって実行されうる。セル（例えば、フェムト・セル）は、プリコーディング有りで基準信号（例えば、ＣＳＩ−ＲＳ）を送信しうる（ブロック９１２）。セルは、ＵＥからチャネル・フィードバック情報を受信しうる（ブロック９１４）。チャネル・フィードバック情報は、ＵＥのために設定された少なくとも１つの帯域幅部分のために、ＵＥによって、基準信号に基づいて決定されうる。ここで、各帯域幅部分は、複数のサブ帯域のうちの少なくとも１つのサブ帯域をカバーする。セルは、ＵＥから受信したチャネル・フィードバック情報に基づいて、基準信号のために実行されるプリコーディング有りで、ＵＥへデータを送信しうる（ブロック９１６）。
【００８０】
図１０は、通信をサポートする装置１０００の設計を示す。装置１０００は、プリコーディング有りで基準信号を送信するモジュール１０１２と、ＵＥからチャネル・フィードバック情報を受信するモジュール１０１４であって、ここで、チャネル・フィードバック情報は、ＵＥのために設定された少なくとも１つの帯域幅部分のために、ＵＥによって、基準信号に基づいて決定される、モジュール１０１４と、ＵＥから受信したチャネル・フィードバック情報に基づいて、基準信号のために実行されるプリコーディング有りで、ＵＥへデータを送信するモジュール１０１６と、を含む。
【００８１】
図６，８，１０におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００８２】
図１１は、図１におけるｅＮＢのうちの１つ、およびＵＥのうちの１つでありうる、基地局／ｅＮＢ１１０とＵＥ１２０との設計のブロック図を示す。ｅＮＢ１１０は、Ｔ個のアンテナ１１３４ａ乃至１１３４ｔを備え、ＵＥ１２０は、Ｒ個のアンテナ１１５２ａ乃至１１５２ｒを備えうる。ここで、一般に、Ｔ≧１およびＲ≧１である。
【００８３】
ｅＮＢ１１０では、送信プロセッサ１１２０が、１または複数のＵＥのためのデータをデータ・ソース１１１２から受け取り、おのおののＵＥのためのデータを、このＵＥのために選択された１または複数の変調スキームおよび符号化スキーム（ＭＣＳ）に基づいて処理（例えば、符号化および変調）し、すべてのＵＥのためのデータ・シンボルを提供しうる。送信プロセッサ１１２０はまた、制御情報を処理し、制御シンボルを提供しうる。送信プロセッサ１１２０はまた、ｅＮＢ１１０によってサポートされているおのおののセルのためのＣＲＳ、ＣＳＩ−ＲＳ、および／または、その他の基準信号のための基準シンボルをも生成しうる。ＴＸ  ＭＩＭＯプロセッサ１１３０は、データ・シンボル、制御シンボル、および／または、基準シンボル（適用可能な場合）をプリコードし、Ｔ個の出力シンボル・ストリームをＴ個の変調器（ＭＯＤ）１１３２ａ乃至１１３２ｔに提供しうる。おのおのの変調器１１３２は、（例えば、ＯＦＤＭ等のための）出力シンボル・ストリームを処理して、出力サンプル・ストリームを得る。おのおのの変調器１１３２はさらに、出力サンプル・ストリームを調整（例えば、アナログ変換、フィルタ、増幅、およびアップコンバート）し、ダウンリンク信号を生成しうる。変調器１１３２ａ乃至１１３２ｔからのＴ個のダウンリンク信号は、Ｔ個のアンテナ１１３４ａ乃至１１３４ｔによってそれぞれ送信されうる。
【００８４】
ＵＥ１２０では、Ｒ個のアンテナ１１５２ａ乃至１１５２ｒが、ｅＮＢ１１０からダウンリンク信号を受信しうる。そして、おのおののアンテナ１１５２は、受信した信号を、関連付けられた復調器（ＤＥＭＯＤ）１１５４へ提供しうる。おのおのの復調器１１５４は、この受信した信号を調整（例えば、フィルタ、増幅、ダウンコンバート、およびデジタル化）してサンプルを取得し、さらに、これら（例えば、ＯＦＤＭ等のため）サンプルを処理して、受信されたシンボルを得る。各復調器１１５４は、受信したデータ・シンボルをＭＩＭＯ検出器１１６０に提供し、受信した基準シンボルをチャネル・プロセッサ１１９４へ提供しうる。チャンネル・プロセッサ１１９４は、ＣＲＳのために、受信した基準シンボルに基づいて、ｅＮＢ１１０からＵＥ１２０への無線チャネルのチャネル推定値を導出しうる。チャンネル・プロセッサ１１９４はまた、ＣＳＩ−ＲＳのために、受信した基準シンボルに基づいて、ＵＥ１２０のために設定された帯域幅部分のセットのチャネル測定をも行いうる。チャンネル・プロセッサ１１９４は、（ｉ）ＣＲＳに基づいて取得されたチャネル推定値をＭＩＭＯ検出器１１６０へ提供し、（ｉｉ）ＣＳＩ−ＲＳに基づいて取得されたチャネル測定結果をコントローラ／プロセッサ１１９０へ提供しうる。ＭＩＭＯ検出器１１６０は、これら受信シンボルに対して（適用可能であれば）ＭＩＭＯ検出を実行し、検出されたシンボルを提供しうる。受信プロセッサ１１７０は、検出されたシンボルを処理（例えば、復調および復号）し、ＵＥ１２０についての復号されたデータを、データ・シンク１１７２に提供しうる。
【００８５】
ＵＥ１２０は、上述したように、チャネル測定を行い、チャネル・フィードバック情報を決定しうる。データ・ソース１１７８からのチャネル・フィードバック情報およびデータは、送信プロセッサ１１８０によって処理（例えば、符号化および変調）され、（適用可能であれば）ＴＸ  ＭＩＭＯプロセッサ１１８２によって空間処理され、さらに、変調器１１５４ａ乃至１１５４ｒによって処理されて、Ｒ個のアップリンク信号が生成される。これは、アンテナ１１５２ａ乃至１１５２ｒによって送信されうる。ｅＮＢ１１０では、ＵＥ１２０からのアップリンク信号が、アンテナ１１３４ａ乃至１１３４ｔによって受信され、復調器１１３２ａ乃至１１３２ｔによって処理され、適用可能な場合にはＭＩＭＯ検出器１１３６によって検出され、さらに、受信プロセッサ１１３８によって処理（例えば、復調および復号）されて、ＵＥ１２０によって送信されたチャネル・フィードバック情報およびデータが復元される。コントローラ／プロセッサ１１４０は、チャネル・フィードバック情報に基づいて、ＵＥ１２０へのデータ送信を制御しうる。復元されたデータは、データ・シンク１１３９に提供されうる。
【００８６】
コントローラ／プロセッサ１１４０，１１９０は、ｅＮＢ１１０およびＵＥ１２０それぞれにおける動作を指示しうる。ＵＥ１２０におけるプロセッサ１１９０および／またはその他のプロセッサおよびモジュールは、図５における処理５００、および／または、本明細書に記載された技術のためのその他の処理の実行または指示を行いうる。ｅＮＢ１１０におけるプロセッサ１１４０および／またはその他のプロセッサおよびモジュールは、図７における処理７００、図９における処理９００、および／または、本明細書に記載された技術のためのその他の処理の実行または指示を行いうる。メモリ１１４２，１１９２は、ｅＮＢ１１０およびＵＥ１２０それぞれのためのデータおよびプログラム・コードを格納しうる。スケジューラ１１４４は、すべてのＵＥから受信したチャネル・フィードバック情報に基づいて、ダウンリンクおよび／またはアップリンクでのデータ送信のために、ＵＥ１２０および／またはその他のＵＥをスケジュールしうる。
【００８７】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８８】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、上述した機能を実現することができる。しかしながら、この適用判断は、本発明の範囲からの逸脱をもたらすものと解釈されるべきではない。
【００８９】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００９０】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００９１】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９２】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013517707.tif 000004
【図２】
2013517707.tif 000005
【図３】
2013517707.tif 000006
【図４】
2013517707.tif 000007
【図５】
2013517707.tif 000008
【図６】
2013517707.tif 000009
【図７】
2013517707.tif 000010
【図８】
2013517707.tif 000011
【図９】
2013517707.tif 000012
【図１０】
2013517707.tif 000013
【図１１】
2013517707.tif 000014
【国際調査報告】
2013517707.tif 000015
2013517707.tif 000016
2013517707.tif 000017
2013517707.tif 000018